(57)【要約】【課題】入金された現金を振り込む作業の際にミスが発生することを防止すると共に、請求書の管理についての作業負担を軽減する紙幣入金装置を提供する。【解決手段】紙幣入金装置は、紙幣を１枚ずつ取り込む受入部１０１と、受入部１０１により取り込まれた紙幣を搬送する搬送部１０２と、搬送部１０２により搬送される紙幣の識別及び計数を行う識別部１０３と、搬送部１０３から送られた紙幣と、振込先及び振込金額を含む振込情報が記載された振込情報特定媒体を集積する集積部１０６と、集積部１０６から紙幣及び振込情報特定媒体を受け入れて収納する収納カセット１０９と、を備える。振込情報特定媒体は読取部１１７によって振込情報が読み取られた後、収納カセット１０９に収納される。読取部１１７が読み取った振込情報は、出力部１１８により外部出力される。【選択図】図１
2012014241.tif 000002
【特許請求の範囲】
【請求項１】
投入された紙幣を１枚ずつ機体内部に取り込む受入部と、
前記受入部により機体内部に取り込まれた紙幣を搬送する搬送部と、
前記搬送部に設けられ、当該搬送部により搬送される紙幣の識別及び計数を行う識別部と、
前記搬送部に接続され、当該搬送部から送られた紙幣と、振込先及び振込金額を含む振込情報が記載された振込情報特定媒体を集積する集積部と、
前記振込情報特定媒体に記載された前記振込情報を読み取る読取部と、
前記集積部に集積された紙幣を機体外部から取り出すことができる開口を開閉するシャッター部と、
前記集積部に集積された紙幣及び前記振込情報特定媒体が当該集積部から送られ、この送られた紙幣及び振込情報特定媒体を受け入れて収納する収納庫と、
前記集積部に集積された紙幣及び振込情報特定媒体を前記収納庫へ移動させる移動部と、
前記読取部が読み取った前記振込情報を外部出力する出力部と、
前記シャッター部及び前記移動部の制御を行う制御部と、
を備える紙幣入金装置。
【請求項２】
前記読取部は、前記振込情報特定媒体にバーコードとして記載されている前記振込情報を読み取るバーコードリーダであり、前記集積部は、前記開口を介して、前記バーコードリーダにバーコードが読み取られた振込情報特定媒体を受け入れることを特徴とする請求項１に記載の紙幣入金装置。
【請求項３】
前記集積部は、前記開口を介して前記振込情報特定媒体を受け入れ、
前記読取部は、
前記集積部内の前記振込情報特定媒体を撮影する撮影部と、
前記撮影部が撮影した前記振込情報特定媒体の画像から前記振込情報を抽出する抽出部と、
を有することを特徴とする請求項１に記載の紙幣入金装置。
【請求項４】
前記受入部は、前記振込情報特定媒体を１枚ずつ機体内部に取り込み、
前記搬送部は、前記受入部により機体内部に取り込まれた前記振込情報特定媒体を前記集積部へ搬送し、
前記読取部は、前記識別部内に含まれ、前記搬送部により搬送される前記振込情報特定媒体から前記振込情報を読み取ることを特徴とする請求項１に記載の紙幣入金装置。
【請求項５】
前記制御部は、前記読取部が読み取った前記振込情報に基づいて、振込先別の振込金額を算出し、
前記出力部は、算出された振込先別の振込金額を印字して出力することを特徴とする請求項１乃至４のいずれかに記載の紙幣入金装置。
【請求項６】
前記収納庫には記憶媒体が付されており、
前記出力部は、前記記憶媒体に前記振込情報を書き込むことを特徴とする請求項１乃至４のいずれかに記載の紙幣入金装置。
【請求項７】
前記制御部は、前記収納庫への入金額及び前記読取部が読み取った前記振込情報に基づいて、売上額と振込額とを算出することを特徴とする請求項１乃至６のいずれかに記載の紙幣入金装置。
【発明の詳細な説明】
【技術分野】
【０００１】
本発明は、機体外部から紙幣が入金され、この入金された紙幣と共に公共料金等の振込用紙を機体内部に収納する紙幣入金装置に関する。
【背景技術】
【０００２】
小売店等では、売上金の紙幣を入金し、この入金した紙幣を機体内部に収納する紙幣入金装置が設置されている。例えば、１以上の振り込み先情報及び振り込み金額を入力可能な入力部と、入力された振り込み金額の合計額が、収納されている紙幣の金額以下の場合に、振り込み先情報及び振り込み金額を外部の振り込み代行業者に送信する通信手段とを備える装置が提案されている（例えば特許文献１参照）。
【０００３】
上記のような従来の装置は、入金された売上金を複数の指定口座に振り込むことは出来るが、入力部を介して振り込み先の情報を手入力するため、入力間違いが発生するおそれがあった。また、振り込みについての請求書がある場合は、入金紙幣とは別に請求書を管理する必要があり、作業負担が大きいという問題があった。
【先行技術文献】
【特許文献】
【０００４】
【特許文献１】特許第４３８８８３７号明細書
【発明の概要】
【発明が解決しようとする課題】
【０００５】
本発明は、入金された現金を振り込む作業の際にミスが発生することを防止すると共に、請求書の管理についての作業負担を軽減する紙幣入金装置を提供することを目的とする。
【課題を解決するための手段】
【０００６】
本発明の一態様による紙幣入金装置は、投入された紙幣を１枚ずつ機体内部に取り込む受入部と、前記受入部により機体内部に取り込まれた紙幣を搬送する搬送部と、前記搬送部に設けられ、当該搬送部により搬送される紙幣の識別及び計数を行う識別部と、前記搬送部に接続され、当該搬送部から送られた紙幣と、振込先及び振込金額を含む振込情報が記載された振込情報特定媒体を集積する集積部と、前記振込情報特定媒体に記載された前記振込情報を読み取る読取部と、前記集積部に集積された紙幣を機体外部から取り出すことができる開口を開閉するシャッター部と、前記集積部に集積された紙幣及び前記振込情報特定媒体が当該集積部から送られ、この送られた紙幣及び振込情報特定媒体を受け入れて収納する収納庫と、前記集積部に集積された紙幣及び振込情報特定媒体を前記収納庫へ移動させる移動部と、前記読取部が読み取った前記振込情報を外部出力する出力部と、前記シャッター部及び前記移動部の制御を行う制御部と、を備えるものである。
【０００７】
本発明の一態様による紙幣入金装置においては、前記読取部は、前記振込情報特定媒体にバーコードとして記載されている前記振込情報を読み取るバーコードリーダであり、前記集積部は、前記開口を介して、前記バーコードリーダにバーコードが読み取られた振込情報特定媒体を受け入れることが好ましい。
【０００８】
本発明の一態様による紙幣入金装置においては、前記集積部は、前記開口を介して前記振込情報特定媒体を受け入れ、前記読取部は、前記集積部内の前記振込情報特定媒体を撮影する撮影部と、前記撮影部が撮影した前記振込情報特定媒体の画像から前記振込情報を抽出する抽出部と、を有することが好ましい。
【０００９】
本発明の一態様による紙幣入金装置においては、前記受入部は、前記振込情報特定媒体を１枚ずつ機体内部に取り込み、前記搬送部は、前記受入部により機体内部に取り込まれた前記振込情報特定媒体を前記集積部へ搬送し、前記読取部は、前記識別部内に含まれ、前記搬送部により搬送される前記振込情報特定媒体から前記振込情報を読み取ることが好ましい。
【００１０】
本発明の一態様による紙幣入金装置においては、前記制御部は、前記読取部が読み取った前記振込情報に基づいて、振込先別の振込金額を算出し、前記出力部は、算出された振込先別の振込金額を印字して出力することが好ましい。
【００１１】
本発明の一態様による紙幣入金装置においては、前記収納庫には記憶媒体が付されており、前記出力部は、前記記憶媒体に前記振込情報を書き込むことが好ましい。
【００１２】
本発明の一態様による紙幣入金装置においては、前記制御部は、前記収納庫への入金額及び前記読取部が読み取った前記振込情報に基づいて、売上額と振込額とを算出することが好ましい。
【発明の効果】
【００１３】
本発明によれば、入金された現金を振り込む作業の際にミスが発生することを防止すると共に、請求書の管理についての作業負担を軽減できる。
【図面の簡単な説明】
【００１４】
【図１】本発明の第１の実施形態に係る紙幣入金装置の断面の概略構成図である。
【図２】同第１の実施形態に係る紙幣入金装置の機能ブロック図である。
【図３】同第１の実施形態に係る紙幣入金装置の外観斜視図である。
【図４】同第１の実施形態に係る入金処理を説明するフローチャートである。
【図５】同第１の実施形態に係る振込情報特定媒体の収納処理を説明するフローチャートである。
【図６】本発明の第２の実施形態に係る紙幣入金装置の断面の概略構成図である。
【図７】同第２の実施形態に係る振込情報特定媒体の収納処理を説明するフローチャートである。
【図８】本発明の第３の実施形態に係る紙幣入金装置の断面の概略構成図である。
【図９】同第３の実施形態に係る振込情報特定媒体の収納処理を説明するフローチャートである。
【発明を実施するための形態】
【００１５】
以下、本発明の実施の形態を図面に基づいて説明する。
【００１６】
（第１の実施形態）図１に本発明の第１の実施形態に係る紙幣入金装置の断面の概略構成を示し、図２に機能ブロック図を示し、図３に外観斜視図を示す。
【００１７】
図１に示すように、紙幣入金装置は、筐体１と、筐体１に設けられて複数の紙幣Ｐが載置される載置部２０と、載置部２０に載置された複数の紙幣Ｐを１枚ずつ筐体１内に取り込む受入部１０１と、受入部１０１により取り込まれた紙幣Ｐを搬送する搬送部１０２と、搬送部１０２で搬送された紙幣Ｐを集積する集積部（一時保留部）１０６と、搬送部１０２に設けられ、当該搬送部１０２で搬送される紙幣Ｐの金種や真偽等を識別するとともに計数（識別計数）する識別部１０３と、集積部１０６に集積された紙幣Ｐを受け入れて収納する収納カセット１０９と、を備えている。
【００１８】
このうち、受入部１０１は、図１に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１の内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００１９】
また、図１に示すように、搬送部１０２は、紙幣Ｐを搬送する搬送ベルト３１、搬送ローラ３２等で構成されている。また、搬送部１０２の最下流部で、集積部１０６近傍には、搬送部１０２で搬送された紙幣Ｐを１枚毎に羽根１０５ａの間で受け止めて集積部１０６に整列集積させる羽根車１０５が設けられている。
【００２０】
また、図１に示すように、集積部１０６は、集積紙幣Ｐを前面側に傾斜させた状態で集積させる形状となっており、搬送部１０２から送られた紙幣Ｐを支持部６４で支持させることで、前面側に傾斜させた立位状態で紙幣Ｐを集積するように構成されている。なお、本願で前面側とは、操作者が紙幣Ｐを載置部２０に載置したり、後述する前面シャッター部６２を開放させることで集積部１０６から紙幣Ｐを取り出したりする側のことを意味し、図１の右側のことを意味している。
【００２１】
集積部１０６の前面側には前面シャッター部６２が設けられている。この前面シャッター部６２は、後述する制御部１０４によって、少なくとも挟持搬送機構１０（後述）によって紙幣Ｐを収納カセット１０９へ搬送しているときに開放不可能となるように制御されている。集積部１０６に集積された紙幣は、後述する指示受付部１１５を介して入力される返却指示に基づいて前面シャッター部６２を開放させることにより、外部から取り出すことが可能となる（図１の矢印Ａ２参照）。
【００２２】
また、前面シャッター部６２を開放させた開口部を介して、集積部１０６に振込情報特定媒体を投入することができる。振込情報特定媒体とは、少なくとも、金融機関の口座番号等の振込先と、振込先への振込金額が記載されたものであり、例えば振込用紙である。振込先や振込金額を含む振込情報は、数字や文字だけでなく、バーコードでも記載されている。
【００２３】
集積部１０６には、当該集積部１０６に集積された紙幣Ｐの表面を挟持し、その表面と平行な方向へ当該紙幣Ｐを搬送することで収納カセット１０９へ紙幣Ｐを収納させる挟持搬送機構１０が設けられている。より具体的には、挟持搬送機構１０は、集積部１０６に集積された複数の紙幣Ｐのうち最も前面側に位置する紙幣Ｐの表面と最も後面側に位置する紙幣Ｐの表面を挟持し、当該複数の紙幣Ｐを一括して収納カセット１０９へ搬送することができるように構成されている（図１の矢印Ａ１参照）。集積部１０６に集積された紙幣は、指示受付部１１５を介して入力される収納指示に基づいて、収納カセット１０９へ搬送され、収納される。
【００２４】
図１に示すように、収納カセット１０９には、挟持搬送機構１０で搬送される紙幣Ｐを取り込むためのスリット状のスリット開口部７１と、当該スリット開口部７１を開閉するためのスリットシャッター部１０８が設けられている。なお、図３に示すように、収納カセット１０９は、ロック部材７６によってロック可能な収納筐体７５内に取り出し自在に配置されている。収納カセット１０９は、扉１３０を開けて、紙幣入金装置への装填及び取り外しが可能である。
【００２５】
狭持搬送機構１０は、集積部１０６に投入された振込情報特定媒体を収納カセット１０９へ搬送し、収納させることができる。
【００２６】
図１に示すように、搬送部１０２には、識別異常時および搬送異常時に、集積部１０６に搬送されない紙幣Ｐが搬送されるリジェクト部１０７が設けられている。
【００２７】
識別異常とは、識別部１０３で識別された紙幣Ｐの情報が後述する制御部１０４に通知され、制御部１０４が、記憶部１２０に予め記憶された情報と比較した比較結果が一致しない場合のことを意味している。そして、このような識別異常としては、例えば、識別された紙幣Ｐが予定していた金種と異なる種類の紙幣Ｐであると識別されたときや、そもそも紙幣Ｐの金種を識別することができなかったときなどを挙げることができる。
【００２８】
また、搬送異常とは、搬送部１０２によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００２９】
図３に示すように、紙幣入金装置の筐体１には、所定の情報を表示する機能を有する表示部１１６とデータ入力を可能とする機能を有する指示受付部１１５が設けられている。また、筐体１には、ハンディ型のバーコードリーダからなる読取部１１７が接続されている。読取部１１７は、振込情報特定媒体に記載されている振込情報を読み取ることができる。読取部１１７が読み取った振込情報は制御部１０４に取得される。
【００３０】
図２に示すように、制御部１０４は、紙幣入金装置の各部に接続され、制御を行う。制御部１０４は、識別部１０３による紙幣の識別結果に基づいて、正常紙幣が集積部１０６へ搬送され、リジェクト紙幣がリジェクト部１０７へ搬送されるように、搬送部１０２を制御する。制御部１０４は、紙幣が異常と判定された要因を表示部１１６に表示させてもよい。
【００３１】
また、制御部１０４は、読取部１１７が読み取った振込情報を、記憶部１２０に書き込んだり、出力部１１８を介して外部出力したりできる。出力部１１８は、通信回線を介して、振込情報を、収納カセット１０９の回収業務を担う警備会社のサーバーへ送信する。
【００３２】
指示受付部１１５は、操作者から、集積部１０６に集積されている紙幣や振込情報特定媒体を収納カセット１０９に収納させる収納指示を受け付ける。また、指示受付部１１５は、操作者から、集積部１０６に集積されている紙幣を返却する返却指示を受け付ける。また、指示受付部１１５は、紙幣の入金を行う入金モードと、振込情報の読み取りや振込情報特定媒体の収納を行う振込モードとの切り替えを受け付ける。
【００３３】
このような紙幣入金装置を用いた紙幣の入金処理を図４に示すフローチャートを用いて説明する。
【００３４】
（ステップＳ１０１）操作者が、指示受付部１１５を介して入金モードへの切り替えを行い、入金する紙幣を載置部２０に投入する。
【００３５】
（ステップＳ１０２）受入部１０１により紙幣が１枚ずつ装置内へ取り込まれ、搬送部１０２により搬送される。
【００３６】
（ステップＳ１０３）識別部１０３が紙幣の識別、計数を行う。
【００３７】
（ステップＳ１０４）識別部１０３によりリジェクト紙幣と判定された場合はステップＳ１０６へ進み、正常紙幣と判定された場合はステップＳ１０５へ進む。
【００３８】
（ステップＳ１０５）紙幣が集積部１０６へ搬送され、集積される。
【００３９】
（ステップＳ１０６）紙幣がリジェクト部１０７へ搬送される。
【００４０】
（ステップＳ１０７）載置部２０に紙幣が残っている場合はステップＳ１０２に戻り、残っていない場合はステップＳ１０８へ進む。
【００４１】
（ステップＳ１０８）制御部１０４が、識別部１０３による紙幣の識別、計数結果を表示部１１６に表示させる。操作者は、表示された計数結果を確認し、入金確定する場合はステップＳ１０９へ進み、入金確定しない場合はステップＳ１１０へ進む。
【００４２】
（ステップＳ１０９）指示受付部１１５が操作者からの収納指示を受け付ける。収納指示に基づいて、集積部１０６に集積されている紙幣が収納カセット１０９に収納される。また、制御部１０４が、入金確定額を記憶部１２０に書き込む。
【００４３】
（ステップＳ１１０）指示受付部１１５が操作者からの返却指示を受け付ける。
【００４４】
（ステップＳ１１１）制御部１０４が前面シャッター部６２を開放させる。そして、集積部１０６に集積されている紙幣が取り出される。
【００４５】
次に、図５に示すフローチャートを用いて振込情報特定媒体を収納カセット１０９へ収納させる手順について説明する。
【００４６】
（ステップＳ２０１）操作者が、指示受付部１１５を介して振込モードへの切り替えを行い、振込情報特定媒体の振込情報を読取部１１７に読み取らせる。
【００４７】
（ステップＳ２０２）制御部１０４は、読取部１１７から振込情報を受け取ると、前面シャッター部６２を開ける。操作者は、前面シャッター部６２が開いた開口部を介して、集積部１０６に振込情報特定媒体を投入する。この時、制御部１０４は、振込情報を表示部１１６に表示させ、操作者が確認できるようにしてもよい。
【００４８】
（ステップＳ２０３）指示受付部１１５が、操作者からの収納指示を受け付ける。
【００４９】
（ステップＳ２０４）集積部１０６内の振込情報特定媒体が、収納カセット１０９に搬送され、収納される。
【００５０】
（ステップＳ２０５）出力部１１８が、ステップＳ２０１で読み取られた振込情報を、警備会社のサーバーへ送信する。
【００５１】
警備会社は、出力部１１８から受信した振込情報に基づいて、紙幣入金装置の使用者（店舗等）に代わり、振込を行う。例えば、警備会社は、店舗等から回収してきた紙幣入金装置の収納カセット１０９内の現金を使用して振込を行う。また、警備会社は、振込情報を受信すると、振込金額を立て替えて、速やかに振込を行い、後で回収した収納カセット１０９内の現金から立て替え金額分を受け取るようにしてもよい。
【００５２】
紙幣入金装置の使用者（店舗等）は、装置に入金した現金を用いて、公共料金や従業員の給料の振り込みを行うことができる。また、警備会社が振り込みを代行することで、使用者（店舗等）側における振り込みの手間を省くことができる。
【００５３】
本実施形態に係る紙幣入金装置では、振込情報は読取部１１７に読み取られて処理され、操作者の手入力ではない。従って、紙幣入金装置は、振込情報を正確に取得でき、振込作業に伴うミスの発生を防止できる。また、振込情報が読み取られた振込情報特定媒体（請求書等）は、集積部１０６に投入して入金した現金と一緒に収納カセット１０９に収納しておくため、請求書を別途管理しておく必要がなく、請求書の管理についての作業負担を軽減できる。
【００５４】
上記実施形態では、読取部１１７としてハンディ型のバーコードリーダを用いて説明を行ったが、バーコードリーダは紙幣入金装置の筐体１と一体になっていてもよい。
【００５５】
（第２の実施形態）図６に本発明の第２の実施形態に係る紙幣入金装置の断面を示す。本実施形態は、図１〜図３に示す第１の実施形態と比較して、バーコードリーダでなく、集積部１０６に設けた撮影手段を読取部１１７とした点が異なる。図６において、図１に示す第１の実施形態と同一部分には同一符号を付して説明を省略する。
【００５６】
撮影手段は、集積部１０６に投入された振込情報特定媒体Ｑを撮影し、撮影画像を制御部１０４に送信する。撮影手段は例えばＣＣＤカメラである。また、集積部１０６には、撮影手段が撮影を行う際に点灯する光源（図示せず）が設けられている。
【００５７】
制御部１０４は、撮影手段による撮影画像から、振込情報を抽出する。例えば、制御部１０４は、撮影画像から文字を抽出し、振込先や振込金額を特定する。このようにして、振込情報特定媒体の振込情報が読み取られる。
【００５８】
図７は、本実施形態に係る紙幣入金装置を用いて、振込情報特定媒体を収納カセット１０９へ収納させる手順を説明するフローチャートである。
【００５９】
（ステップＳ３０１）操作者が、指示受付部１１５を介して振込モードへの切り替えを行うと、制御部１０４が前面シャッター部６２を開ける。操作者は、前面シャッター部６２が開いた開口部を介して、集積部１０６に振込情報特定媒体を投入する。
【００６０】
（ステップＳ３０２）集積部１０６内に設けられた撮影手段（読取部１１７）が、振込情報特定媒体を撮影し、撮影画像を制御部１０４へ送信する。
【００６１】
（ステップＳ３０３）制御部１０４が、撮影画像から振込情報を抽出し、記憶部１２０に書き込む。この時、制御部１０４は、振込情報を表示部１１６に表示させ、操作者が確認できるようにしてもよい。
【００６２】
（ステップＳ３０４）指示受付部１１５が、操作者からの収納指示を受け付ける。
【００６３】
（ステップＳ３０５）集積部１０６内の振込情報特定媒体が、収納カセット１０９に搬送され、収納される。
【００６４】
（ステップＳ３０６）出力部１１８が、ステップＳ３０３で抽出された振込情報を、警備会社のサーバーへ送信する。
【００６５】
このような方法によっても警備会社は振込情報を取得できるため、紙幣入金装置の使用者（店舗等）に代わり、振込を行うことができる。例えば、警備会社は、店舗等から回収してきた紙幣入金装置の収納カセット１０９内の現金を使用して振込を行う。また、警備会社は、振込情報を受信すると、振込金額を立て替えて、速やかに振込を行い、後で回収した収納カセット１０９内の現金から立て替え金額分を受け取るようにしてもよい。
【００６６】
上記第１の実施形態と同様に、本実施形態に係る紙幣入金装置の使用者（店舗等）は、装置に入金した現金を用いて、公共料金や従業員の給料の振り込みを行うことができる。また、警備会社が振り込みを代行することで、使用者（店舗等）側における振り込みの手間を省くことができる。
【００６７】
本実施形態に係る紙幣入金装置では、振込情報は読取部１１７（撮影手段）に読み取られて処理され、操作者の手入力ではない。従って、紙幣入金装置は、振込情報を正確に取得でき、振込作業に伴うミスの発生を防止できる。また、振込情報が読み取られた振込情報特定媒体（請求書等）は、集積部１０６に投入して収納カセット１０９に収納しておくため、請求書を別途管理しておく必要がなく、請求書の管理についての作業負担を軽減できる。
【００６８】
上記実施形態において、読み取りを行う振込情報特定媒体が複数枚ある場合は、集積部１０６への投入及び画像撮影を、１枚ずつ行うようにする。
【００６９】
（第３の実施形態）図８に本発明の第３の実施形態に係る紙幣入金装置の断面を示す。本実施形態は、図１〜図３に示す第１の実施形態と比較して、読取部１１７が識別部１０３に含まれる点が異なる。図８において、図１に示す第１の実施形態と同一部分には同一符号を付して説明を省略する。
【００７０】
本実施形態では、振込情報特定媒体Ｑは、載置部２０に載置され、受入部１０１により取り込まれる。搬送部１０２は、受入部１０１が取り込んだ振込情報特定媒体Ｑを集積部１０６へ搬送する。集積部１０６は、搬送部１０２により搬送された振込情報特定媒体Ｑを集積する。
【００７１】
識別部１０３内の読取部１１７は、受入部１０１が取り込んだ振込情報特定媒体から振込情報を読み取る。すなわち、識別部１０３が、振込情報の読み取り機能を有する。例えば、識別部１０３（読取部１１７）は、振込情報特定媒体に記載されたバーコードから振込情報を読み取る。識別部１０３は、読み取った振込情報を制御部１０４に通知する。
【００７２】
図９は、本実施形態に係る紙幣入金装置を用いて、振込情報特定媒体を収納カセット１０９へ収納させる手順を説明するフローチャートである。
【００７３】
（ステップＳ４０１）操作者が、指示受付部１１５を介して振込モードへの切り替えを行い、振込情報特定媒体を載置部２０に載置する。
【００７４】
（ステップＳ４０２）受入部１０１により振込情報特定媒体が１枚ずつ装置内へ取り込まれ、搬送部１０２により搬送される。
【００７５】
（ステップＳ４０３）識別部１０３（読取部１１７）が、振込情報特定媒体から振込情報を読み取り、記憶部１２０に書き込む。この時、制御部１０４は、振込情報を表示部１１６に表示させ、操作者が確認できるようにしてもよい。
【００７６】
（ステップＳ４０４）振込情報特定媒体が集積部１０６に集積される。
【００７７】
（ステップＳ４０５）指示受付部１１５が、操作者からの収納指示を受け付ける。
【００７８】
（ステップＳ４０６）集積部１０６内の振込情報特定媒体が、収納カセット１０９に搬送され、収納される。
【００７９】
（ステップＳ４０７）出力部１１８が、ステップＳ４０３で読み取られた振込情報を、警備会社のサーバーへ送信する。
【００８０】
このような方法によっても警備会社は振込情報を取得できるため、紙幣入金装置の使用者（店舗等）に代わり、振込を行うことができる。例えば、警備会社は、店舗等から回収してきた紙幣入金装置の収納カセット１０９内の現金を使用して振込を行う。また、警備会社は、振込情報を受信すると、振込金額を立て替えて、速やかに振込を行い、後で回収した収納カセット１０９内の現金から立て替え金額分を受け取るようにしてもよい。
【００８１】
上記第１、第２の実施形態と同様に、本実施形態に係る紙幣入金装置の使用者（店舗等）は、装置に入金した現金を用いて、公共料金や従業員の給料の振り込みを行うことができる。また、警備会社が振り込みを代行することで、使用者（店舗等）側における振り込みの手間を省くことができる。
【００８２】
本実施形態に係る紙幣入金装置では、振込情報は識別部１０３（読取部１１７）に読み取られて処理され、操作者の手入力ではない。従って、紙幣入金装置は、振込情報を正確に取得でき、振込作業に伴うミスの発生を防止できる。また、振込情報が読み取られた振込情報特定媒体（請求書等）は、受入部１０１を介して装置内に取り込ませ、収納カセット１０９に収納しておくため、請求書を別途管理しておく必要がなく、請求書の管理についての作業負担を軽減できる。
【００８３】
上記第１〜第３の実施形態に係る紙幣入金装置に印字部を設け、振込先別の振込金額を印字して出力するようにしてもよい。制御部１０４が、記憶部１２０に記憶されている複数の振込情報に基づいて、振込先別の振込金額を算出できる。操作者は、印字出力された情報から、振り込み忘れの有無などを確認できる。また、この印字部から振込情報を１件ずつ印字出力してもよい。振込情報が印字されて出力された用紙を、顧客から振込の依頼を受けた場合の預かり証として利用できる。
【００８４】
また、上記実施形態に係る紙幣入金装置の収納カセット１０９にＩＣタグ等の記憶媒体を設け、この記憶媒体に振込情報を書き込む（出力する）ようにしてもよい。警備会社は、収納カセット１０９と共に記憶媒体を回収し、記憶媒体に書き込まれている振込情報に基づいて、振り込みを代行する。この場合、紙幣入金装置は、警備会社のサーバーへ振込情報を送信しなくてもよいため、紙幣入金装置の通信機能を省略できる。
【００８５】
また、上記実施形態において、制御部１０４は、振込情報に基づいて、装置に入金された現金のうち、振り込みに用いられる金額（振込額）と、それ以外の金額との内訳を算出するようにしてもよい。振込額以外の金額とは、例えば、店舗における売上額、顧客から振込依頼された場合の手数料等である。
【００８６】
また、上記実施形態に係る紙幣入金装置は、小切手や硬貨を封筒に入れ、この封筒を、前面シャッター部６２を開けた開口部を介して集積部１０６に投入し、収納カセット１０９に収納させるようにしてもよい。封筒内の小切手や硬貨の金額は指示受付部１１５に設けられたテンキー（図示せず）から手入力する。このように封筒入金を可能にすることで、警備会社への振込金額の支払いに、小切手等を使用することができる。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８８】
１０１  受入部
１０２  搬送部
１０３  識別部
１０４  制御部
１０６  集積部
１０７  リジェクト部
１０９  収納カセット
１１５  指示受付部
１１７  読取部
１１８  出力部
１２０  記憶部
【図１】
2012014241.tif 000003
【図２】
2012014241.tif 000004
【図３】
2012014241.tif 000005
【図４】
2012014241.tif 000006
【図５】
2012014241.tif 000007
【図６】
2012014241.tif 000008
【図７】
2012014241.tif 000009
【図８】
2012014241.tif 000010
【図９】
2012014241.tif 000011